(57)【特許請求の範囲】
【請求項１】
持続グルコースモニタ（ＣＧＭ）用センサーのデータをクラウドネットワークの記憶装
置に直接に伝達し、それにより、該ＣＧＭ用センサーのデータを格納するためのシステム
であって、
血糖値データを測定し該データを少なくとも一つのインターネットゲートウェイチップに伝達するＣＧＭの構成要素と、
前記クラウドネットワークの記憶装置との直接のデータ通信を確定するように構成され、前記ＣＧＭの構成要素における前記データを受信するとともに、前記クラウドネットワークの記憶装置との直接のデータ通信を介して該データを該クラウドネットワークの記憶装置に伝達する少なくとも一つのインターネットゲートウェイチップと、を含み、
前記ＣＧＭの構成要素は、既存のセンサーおよび送信機を含み、前記インターネットゲートウェイチップは、該既存のセンサーに組み込まれるシステム。
【請求項２】
前記インターネットゲートウェイチップは、ウェブサービスアプリケーションプログラミングインタフェース（ＡＰＩ）、クラウドストレージゲートウェイ、または、ウェブベースのユーザインタフェースを含む請求項１記載のシステム。
【請求項３】
持続グルコースモニタ（ＣＧＭ）用センサーのデータをクラウドネットワークの記憶装
置に直接に伝達し、それにより、該ＣＧＭ用センサーのデータを格納するための方法であって、
クラウドネットワークの記憶装置に直接のデータ通信をもたらすように、少なくとも一つのインターネットゲートウェイチップを有するＣＧＭシステムのＣＧＭの構成要素を設け、
連続して周期的に、または一時的に部位で血糖値を測定するように前記ＣＧＭシステム
を制御し、送信のための前記センサーのデータを処理し、
前記センサーが、インターネットゲートウェイチップを含む場合、該センサーのインタ
ーネットゲートウェイチップを介して該センサーのデータを前記クラウドネットワークの記憶装置に送信するように該センサーを制御し、
前記センサーが、前記インターネットゲートウェイチップを含まない場合、該データが
受信機、または、インターネットゲートウェイチップを含むＣＧＭシステムの移動体通信
端末装置に送信され、
前記データを前記受信機または前記移動体通信端末装置のインターネットゲートウェイチップを介して、該データを前記クラウドネットワークの記憶装置に送信するための前記受信機または前記移動体通信端末装置を制御し、
前記ＣＧＭの構成要素は、既存のセンサーおよび送信機を含み、前記インターネットゲートウェイチップは、該既存のセンサーに組み込まれることを含む方法。
【請求項４】
前記インターネットゲートウェイチップは、別個のクラウドネットワークの記憶装置と通信するように構成される専用のインターネットゲートウェイチップである請求項３記載の方法。
【請求項５】
前記インターネットゲートウェイチップは、ウェブサービスアプリケーションプログラミングインタフェース（ＡＰＩ）、クラウドストレージゲートウェイ、または、ウェブベースのユーザインタフェースを含む請求項３記載の方法。
【請求項６】
クラウドネットワークの記憶装置との直接のデータ通信、および、クラウドネットワークの記憶装置のデータへのアクセスうちの一方が、ユーザ登録に応じて設けられる請求項３記載の方法。
【請求項７】
クラウドネットワークの記憶装置との直接のデータ通信、および、クラウドネットワークの記憶装置のデータへのアクセスうちの一方が、利用者の料金の支払いに応じて設けられる請求項３記載の方法。
【請求項８】
持続グルコースモニタ（ＣＧＭ）用センサーのデータをクラウドネットワークの記憶装
置に直接に伝達し、それにより、該ＣＧＭ用センサーのデータを格納するためのシステム
であって、
血糖値データを測定し該データを少なくとも一つの通信素子に伝達する少なくとも一つのグルコースセンサーと、データ送信機と、データ表示装置、受信装置とを含むＣＧＭシステムと、
少なくとも一つのグルコースセンサー、データ送信機、データ表示装置、受信装置と、
クラウドネットワークの記憶装置との間の直接のデータ通信を確定し、前記ＣＧＭシステ
ムの前記データを受信するように構成され、前記少なくとも一つのグルコースセンサー、
データ送信機、データ表示装置、受信装置と、クラウドネットワークの記憶装置との間の
直接のデータ通信を介して前記データを前記クラウドネットワークの記憶装置に伝達する通信素子と、を含み、
前記通信素子は、インターネットゲートウェイチップ、ウェブサービスアプリケーションプログラミングインタフェース（ＡＰＩ）、クラウドストレージゲートウェイ、および、ウェブベースのユーザインタフェースを含み、
前記ＣＧＭの構成要素は、既存のセンサーおよび送信機を含み、前記インターネットゲートウェイチップは、該既存のセンサーに組み込まれるシステム。
【発明の詳細な説明】
【技術分野】
【０００１】
関連出願の相互参照
この出願は、３５Ｕ．Ｓ．Ｃ§１１９（ａ）の規定の下で、２０１３年３月１４日出願、「クラウドネットワークの記憶装置への直接的なＣＧＭの接続物」と題する米国仮出願第６１／７８４８５８号における利益を主張し、その全体の内容は、参照によって本明細書の一部を構成する。
【０００２】
本発明は、持続グルコースモニタ（ＣＧＭ）システム、それによって収集されたデータの処理及び通信に関する。本発明は、クラウドネットワークの記憶装置との直接のデータ通信を容易にするように、通信素子を持続グルコースモニタシステムに組み込み、それにより、如何なる付加的な装置または利用者の操作も要することなく、ＣＧＭ用センサーのデータを伝達および格納する。インターネットゲートウェイチップは、クラウドネットワークの記憶装置と直接のデータ通信を容易にするように、持続グルコースモニタシステムの構成部品内に含まれる。
【背景技術】
【０００３】
血糖値の測定は、血液中のグルコースの濃度を検査する方法である。糖尿病の治療において特に重要なことは、血糖検査は、血液を抜くように皮膚を刺し、それから、血液を化学的に活性な使い捨てのテストストリップに付けることによって行われます。異なる製造会社が、様々な技術を使用するが、ほとんどのシステムは、冒されたストリップの電気的特性を測定し、これを使用し血液中の血糖値を測定する。
【０００４】
一方、持続グルコースモニタ（ＣＧＭ）は、連続的または定期的に血糖値を測定する。代表的なシステムは、皮膚のすぐ下に配され、交換されるまで数日間装着される使い捨てグルコースセンサーと、そのセンサーから無線受信機と通信する埋め込まれていない送信機までのリンクと、ほぼ絶え間ない更新で血糖値を表示し、ならびに、上下する動向を測定する電子受信機と、からなる。
【０００５】
そのようなシステムの一例は、デクスコム（Ｄｅｘｃｏｍ（登録商標））社のセブンプラスシージーエムシステム（ＳＥＶＥＮ（登録商標）ＰＬＵＳ  ＣＧＭ  Ｓｙｓｔｅｍ）である。デクスコムシステムは、センサー、送信機、および、受信機を含む３つの構成部品から構成される。受信機は、連続の装着時間の期間にわたり様々な間隔で利用者の血糖値の測定を示すことができる。デクスコム（Ｄｅｘｃｏｍ）センサーは、部位で血糖値を測定するように皮膚のすぐ下に貫通する柔軟な丸い小型のワイヤであり、皮膚に接着パッチで取り付ける。デクスコム（Ｄｅｘｃｏｍ）送信機は、センサーの露出部分に結合され、無線式受信機に血糖値の情報を送信する。送信機および内蔵型電池は、無線式で軽量である単一の小さな素子を形成するようにセンサーと結合され得る。その接着パッチは、結合された送信機およびセンサーを皮膚に保持する。そうすることで、デクスコム（Ｄｅｘｃｏｍ）受信機は、血糖値の動向を表示する表示および警告機能を有する無線式の装置をもたらし、利用者が受信機をベルトに留め、または、ポケットまたはハンドバックに入れることができる大きさおよび重さである。
【０００６】
そのようなシステムにおいて、ＣＧＭ用センサーは、例えば、センサーの使用の幾つかの日の全過程にわたり最終利用者の血糖濃度における動向情報を示すために使用可能とされる途方もなく多い量のデータをもたらす。そのようなＣＧＭデータの動向は、血糖の制御を達成するために最終利用者に施される治療および治療法を最適化するために使用可能とされるのでそのような情報は、内分泌医、または、ナースプラクティショナーのような医療サービス提供者に有用となる。
【０００７】
加えて、ＣＧＭ用センサーのデータは、幼児の親達、または、高齢者の管理者のような介護者に、センサーの最終利用者の血糖値の制御のための手段をもたらすように利用可能とされる。
【０００８】
しかしながら、現在、利用可能なシステムおよび方法により、ＣＧＭセンサーの出力を見て、センサーの最終利用者が実現しつつある血糖値の制御の品質を利用できる機能を他人に容易に提供できるための手段が必要とされる。そのような要望のための１つの解決策は、他人によりアクセス可能な方法でそのようなデータの収集および格納である。あるシステムにおいて、市販のＣＧＭセンサーからの出力が、最終利用者または最終利用者の医療サービス提供者により、パーソナルコンピュータにダウンロード可能とされる。残念ながら、この選択肢は、あまりにも煩わしいのでティ１ディエクスチェンジ（Ｔ１ＤＥｘｃｈａｎｇｅ）社からの最近の資料は、少数の最終利用者のデータだけがこの方法で管理されていることを示している。
【０００９】
ＣＧＭセンサーシステムにより取得された多量のデータのためのアクセス媒体および記憶装置として、また、他人によりアクセス可能であるクラウドネットワークの記憶装置を利用するように、クラウドネットワーク形式のデータの記憶装置の最近の利用可能性は、他人によりアクセス可能である方法で、そのようなデータを収集および格納できるもう一つの可能性をもたらす。そのようなクラウドネットワークの記憶装置への接続のいくつかの可能な方法がある。
【００１０】
パーソナルコンピュータへのＣＧＭセンサーデータのダウンロードに関するティ１ディエクスチェンジ社のデータから取り入れた情報から再び流用したり、最終利用者の使い勝手のよさが、クラウドネットワークの記憶装置への接続の特定のモードが利用されるかどうかを決定する。ＣＧＭシステムからのデータは、メドトロニック（Ｍｅｄｒｏｎｉｃ）社のＣａｒｅｌｉｎｋ、ティ１ディエクスチェンジ（Ｔ１Ｄ  Ｅｘｃｈａｎｇｅ）社、または、デクスコム（Ｄｅｘｃｏｍ）社のＳｗｅｅｔＳｐｏｔのようなクラウドネットワークの記憶装置に容易にアップロードされるが、付加的な機器、および、重要な付加的な利用者の操作を必要とする。
【００１１】
例えば、先ず、ＣＧＭデータをコンピュータのファイルにダウンロードし、それから、クラウドネットワークの記憶装置にアップロードすることによって、記憶が、達成される。他の一つの市販のＣＧＭの製造業者は、最近、センサーからの血糖値のデータが、インターネットハブを介してクラウドネットワークの記憶装置に中継されることを発表した。この場合、そのようなシステムのアーキテクチャにより、ＣＧＭ用センサー最終利用者が、クラウドネットワークの記憶装置に接続するための付加的な装置を携帯することを必要とする。それぞれの場合、最終利用者は、付加的な不便さによりこれらの機能の利点を利用する可能性が低い。
【００１２】
したがって、ＣＧＭ用センサーまたは類似の装置をクラウドネットワークの記憶装置に直接接続し、それにより、如何なる付加的な装置または利用者の操作を要することなく、ＣＧＭ用センサーのデータを伝達および格納するシステムおよび方法が必要とされている。
【発明の概要】
【００１３】
本発明の代表的な複数の実施例は、上述および他の問題を述べ、ＣＧＭセンサーまたは類似の装置を直接にクラウドネットワークの記憶装置に接続するためのシステムおよび方法をもたらし、それにより、如何なる付加的な装置または利用者の操作を要することなく、ＣＧＭ用センサーのデータを伝達、および、格納する。そのようなシステムおよび方法により、ＣＧＭ用センサーの最終利用者が、インターネットハブを携帯する負担、または、付加的な利用者の操作を要することなく、クラウドネットワークの記憶装置に接続できる。
【００１４】
本発明の代表的な実施例の他の一面は、クラウドネットワークの記憶装置と直接のデータ通信を容易にするように、通信素子を持続グルコースモニタシステムに組み込むためのシステムおよび方法をもたらす。代表的な実施例において、インターネットゲートウェイチップが、クラウドネットワークの記憶装置と直接のデータ通信を容易にするために持続グルコースモニタシステムの構成部品内に含まれている。
【００１５】
本発明の代表的な実施例の他の一面は、ＣＧＭにおける既存の無線式受信機および表示装置のようなＣＧＭの受信機内にインターネットゲートウェイチップを組み込むためのシステムおよび方法をもたらす。
【００１６】
本発明の代表的な実施例の他の一面は、スマートフォンがＣＧＭにおける無線式受信機および表示装置である場合、スマートフォンまたは類似の装置内にそのようなインターネットゲートウェイチップを組み込むためのシステムおよび方法をもたらす。
【００１７】
本発明の代表的な実施例の他の一面は、ＣＧＭにおける既存のセンサー、および／または、送信機のような、センサー内にそのようなインターネットゲートウェイチップを組み込むためのシステムおよび方法をもたらす。
【００１８】
本発明におけるこれらおよび他の一面を実質的に実現するために、システムおよび方法は、如何なる付加的な装置または利用者の操作を要することなく、クラウドネットワークの記憶装置との直接のデータ通信を容易にするためにインターネットゲートウェイチップのような通信素子をＣＧＭシステムにおける一個以上の構成部品に組み込むようにもたらされる。
【００１９】
これらおよび本発明における他の目的、利点、新規な特徴は、添付図面と一緒に読む場合、以下の詳細な説明からより容易く理解されよう。図中
【図面の簡単な説明】
【００２０】
【図１】図１は、本発明の実施例に従いクラウドネットワークの記憶装置と直接のデータ通信を容易にするように、１個以上のＣＧＭシステムの構成部品に、インターネットゲートウェイチップのような通信素子を組み込むためのシステムのブロック図である。
【図２】図２は、本発明の他の実施例に従い、スマートフォンがＣＧＭにおける無線式の受信機、表示装置の場合、スマートフォンまたは同様な装置にインターネットゲートウェイチップを組み込むためのシステムのブロック図である。
【図３】図３は、本発明の他の実施例に従い、ＣＧＭにおける既存の無線式の受信機、および、表示装置のような、ＣＧＭの受信機にインターネットゲートウェイチップを組み込むためのシステムのブロック図である。
【図４】図４は、本発明の他の実施例に従い、センサ、即ち、既存のセンサ、および／または、ＣＧＭの送信機内にインターネットゲートウェイチップを組み込むためのシステムのブロック図である。
【図５】図５は、本発明の実施例に従い、クラウドネットワークの記憶装置と直接のデータ通信を容易にするように、CGMシステムにおける1個以上の構成部品と一緒にインターネットゲートウェイチップのような通信素子を使用するための方法の流れ図である。
【発明を実施するための形態】
【００２１】
図面中、同一の参照数字は、同一の部品、構成部分、および、構造を意味することである。添付図面の複数の図に示されるように、本発明の代表的な複数の実施例は、ＣＧＭセンサーまたは同様の装置をクラウドストレージネットワークに直接接続するためのシステムおよび方法をもたらし、それにより、ＣＧＭデータが人により使用可能とされ、如何なる付加的な装置または使用者の操作を必要としない方法で、ＣＧＭセンサーのデータを通信し、格納する。そのようなシステムおよび方法により、ＣＧＭセンサーの末端の利用者が、インターネットのハブを携帯する負担、または、付加的な使用者の操作の必要なしにクラウドストレージネットワークに接続できる。そうするために、代表的な実施例は、クラウドネットワークストレージと直接のデータ通信を容易にするように、インターネットゲートウェイチップをＣＧＭシステムの構成部品と組み合わせる。さらに詳細には、代表的な複数の実施例は、ＣＧＭの既存の無線受信機及び表示装置のような、受信機にインターネットゲートウェイチップをもたらし、スマートフォンがＣＧＭの無線受信機及び表示装置の場合、スマートフォン、または、類似の装置内にインターネットゲートウェイチップをもたらし、ＣＧＭにおける既存のセンサー、および／または、送信機のようなセンサー内にインターネットゲートウェイチップをもたらす。
【００２２】
従って、本発明の代表的な複数の実施例は、上述および他の問題を述べ、ＣＧＭセンサーまたは同様の装置をクラウドストレージネットワークに直接接続するためのシステムおよび方法をもたらし、それにより、ＣＧＭデータが人により使用可能とされ、如何なる付加的な装置または使用者の操作を必要としない方法で、ＣＧＭセンサーのデータを通信し、格納する。そのようなシステムおよび方法により、ＣＧＭセンサーの末端の利用者が、インターネットのハブを携帯する負担、または、付加的な使用者の操作の必要なしに、クラウドストレージネットワークに接続できる。
【００２３】
図1は、本発明の実施例に従い、クラウドネットワークの記憶装置と直接のデータ通信を容易にするように、ＣＧＭシステムの１つ以上の構成部品に、インターネットゲートウェイチップのような通信素子を組み込むためのシステムのブロック図である。ＣＧＭシステムは、継続的にまたは定期的に血糖値を測定し、代表的なシステムは、交換されるまで数日間、装着され、皮膚のすぐ下にある使い捨てグルコースセンサーと、そのセンサーから無線受信機に通信する埋め込まれていない送信機までのリンク（回線）と、ほぼ最新情報で血糖値を表示し、ならびに、上下する動向を記録する電子受信機とからなる。そのようなシステムの一例は、センサーと、送信機と、および、受信機とを含む３つの構成部品からなるデクスコムセブンプラスシージーエム（Ｄｅｘｃｏｍ（登録商標）ＳＥＶＥＮ（登録商標）ＰＬＵＳＣＧＭ）システムである。その受信機は、連続した装着時間にわたってさまざまな間隔で血糖値の読みのような使用者の情報を表示、即ち、示すことができる。デクスコム（Ｄｅｘｃｏｍ）センサーは、ある部位で血糖値を読むように皮膚の直下に入り込む柔軟で円形のマイクロワイヤであり、接着パッチにより皮膚に取り付ける。デクスコム（Ｄｅｘｃｏｍ）送信機は、センサーの露出部分と接続し、血糖値の情報を無線で受信機に送信する。Ｄｅｘｃｏｍ送信機、および、内蔵型電池は、無線で軽量である単一の小さな部品を形成するように、そのセンサーと結合され得る。接着パッチは、その結合された送信機およびセンサーを皮膚に保持するように使用可能とされる。しかしながら、本発明の代表的な複数の実施例において、これら、または、他の如何なる形式の侵襲的、非侵襲的または最小の侵襲的ＣＧＭ検出技術が、本発明の実施に使用可能とされる。グルコース結合蛋白質（ＧＢＰ）を用いたもののようなＣＧＭセンサーの代表的な開示は、以下の複数の公開された国際特許出願（ＰＣＴ）、２００６年４月２７日に公開された国際公開第２００６／０４４９７３号公報、２００７年１１月１日に公開された国際公開第２００７／１２４４６４号公報、および、２００８年１０月３０日に公開された国際公開第２００８／１３１３６０号公報において見つけられ得るものであり、それらすべての全体の内容は、参照により本明細書の一部を構成する。
【００２４】
本発明に従い、インターネットゲートウェイチップ、または、類似したインターネットゲートウェイチップシステムは、様々なＣＧＭの構成において設けられ得るものであり、それぞれ、ＣＧＭの構成部品とクラウドネットワークの記憶装置との間の通信をもたらす。図１における実施例において、ＣＧＭシステムは、センサー１１０と、送信機１２０と、受信機、および、表示装置１３０とを含む３つの構成部品によって構成されている。その受信機１３０および表示装置は、様々なユーザーコントロールと、センサー１１０の装着時間中、使用者の血糖値、または、他の様々な測定値を表示する表示装置を含む。センサー１１０は、ある部位で血糖値を読むように皮膚に入り込み、接着パッチにより皮膚に取り付ける柔軟で円形のマイクロワイヤ、または他の部品によりもたらされるような、何れかの適切なセンサーであってもよい。送信機１２０は、センサー１１０の露出部分と結合、さもなければ、組み込まれ得るものであり、センサー１１０から得られた血糖値の情報を受信機に無線で送信できる。送信機１２０は、送信機１２０およびセンサー１１０に電力を供給する電池、または、他の電源（不図示）をさらに含み得る。接着剤層または他の取付手段は、皮膚の表面における所定位置に送信機及びセンサーを保持するように、設けられ得る。
【００２５】
本発明の代表的な複数の実施例において、インターネットゲートウェイチップシステムまたは、インターネットゲートウェイチップは、ＣＧＭシステムにおける一つ以上の構成部品に組み込まれ、および／または、既存のＣＧＭシステムにおける一つ以上の構成部品に取り替えるように使用可能とされる。以下に示す複数の実施例において、インターネットゲートウェイチップシステム、または、インターネットゲートウェイチップ１４０、２４０、３４０、及び、４４０は、これらに限定されないが、例えば、クアルコム社のＷＣＤＭＡ／ＨＳＰＡ＋方式のデバイス、シエラワイヤレス（Ｓｉｅｒｒａ  Ｗｉｒｅｌｅｓｓ）社、インフィニオン（Ｉｎｆｉｎｅｏｎ）社、ＴＩ社、フリースケール（Ｆｒｅｅｓｃａｌｅ）社、エステーマイクロ（ＳＴＭｉｃｒｏ）社、メディオテック（ＭｅｄｉｏＴｅｋ）社、マーベル（Ｍａｒｖｅｌ）社のインターネットゲートウェイデバイスを含むシングルチップＲＦ処理装置からなり得る。さらに他の適用可能なインターネットゲートウェイデバイスは、センチュリオン（Ｃｅｎｔｕｒｉｏｎ）社、テリット（Ｔｅｌｉｔ）社、シムコム（ＳＩＭＣｏｍ）社、エリクソン（Ｅｒｉｃｓｓｏｎ）社などの会社により製造されたものを含む。さらに、本発明の代表的な複数の実施例において、インターネットゲートウェイチップシステム、または、インターネットゲートウェイチップ１４０、２４０、３４０及び４４０は、それぞれ、単独、または、選択可能なクラウドネットワークの記憶装置と通信するための専用のチップからなり得る。インターネットゲートウェイチップシステム、または、インターネットゲートウェイチップ１４０、２４０、３４０及び４４０における双方向通信は、限定されないが、８０２．１１（無線ＬＡＮ、ＷＬＡＮ）、８０２．１５（ＷＰＡＮ、ブルートゥース、ジグビー（ＺｉｇＢｅｅ））および８０２．１６（ＷＭＡＮ）として規格化されたものを含むアイトリプルイー（ＩＥＥＥ）８０２ワイヤレス標準規格のような、限定されないが、RF、ブルートゥース、および、赤外線通信のような幾つもの手段を介して設けられ得る。
【００２６】
図１における実施例において、センサー１１０は、部位で血糖値、または、他の変化する測定値を連続的に測定し、センサー１１０の測定値は、送信のために処理され、送信機１２０により、受信機及び表示装置１３０に送信される。送信機１２０と受信機および表示装置１３０との間の通信は、限定されないが、８０２．１１（無線ＬＡＮ、ＷＬＡＮ）、８０２．１５（ＷＰＡＮ、ブルートゥース、ジグビー（ＺｉｇＢｅｅ））および８０２．１６（ＷＭＡＮ）として規格化されたものを含むアイトリプルイー（ＩＥＥＥ）８０２ワイヤレス標準規格のような、RF、ブルートゥース、および、赤外線通信のようなワイヤレス通信手段、および、ＵＳＢ、および、ファイヤーワイヤー（Ｆｉｒｅｗｉｒｅ）接続のような幾つものの有線通信手段を介して設けられ得る。受信機１３０は、一時的にセンサーのデータを保留、格納、および／または、所望するあらゆる方法でセンサーのデータを表示することができる。さらに、受信機１３０のデータは、最終使用者、または、最終使用者の医療サービス提供者によって個人のコンピュータにダウンロード可能とされる。さらにまた、センサーからの血糖値のデータは、インターネットハブを介してクラウドネットワークの記憶装置に中継され得る。しかしながら、本発明における代表的な実施例は、使用者がＣＧＭセンサー、または、類似の装置をクラウドネットワークの記憶装置に直接接続でき、如何なる付加的な装置および使用者の操作を必要とすることなく、ＣＧＭセンサーのデータを通信し格納できる方法で、インターネットゲートウェイチップ１４０を利用する。さらに、インターネットゲートウェイチップ１４０により、最終使用者が、クラウドネットワークの記憶装置１５０のデータにアクセスできる。
【００２７】
クラウドの記憶装置は、データが第三者によって通常、主催される仮想化されたストレージプールに格納されているネットワーク接続されたオンラインの記憶装置のモデルである。主催企業は、大規模なデータセンターを運営し、ホストされるべきデータを必要とするデータを必要とする利用者は、記憶容量を購入、または、賃借りする。データセンターの経営者は、背後で、顧客の要求に応じたリソースを仮想化し、顧客自身が、複数のファイルやデータオブジェクトを格納するように使用することができるストレージプールとしてそれらを公開する。物理的には、リソースは、多数のサーバに及ぶことができ、ファイルの安全性は、ホストのウェブサイトに依存する。そのようなクラウドストレージサービスは、ウェブサービスアプリケーションプログラミングインタフェース（ＡＰＩ）、クラウドストレージゲートウェイ、または、ウェブベースのユーザインタフェースにより、アクセス可能とされる。本発明の場合、センサーデータのクラウドの記憶装置により、最終利用者等が、アクセスできるとともにＣＧＭセンサー出力を見て確認し、センサーの最終利用者が実現する血糖コントロールの品質を検討できる。
【００２８】
ＣＧＭシステムからのデータは、メドトロニック社のケアリンク（Ｃａｒｅｌｉｎｋ）、ティ１ディエクスチャンジ（Ｔ１Ｄ  Ｅｘｃｈａｎｇｅ）社、または、デクスコム（Ｄｅｘｃｏｍ）社のスイートスポット（ＳｗｅｅｔＳｐｏｔ）のような、クラウドネットワークの記憶装置に容易にアップロードされる。しかしながら、これらのシステムの場合、記憶は、先ず、コンピュータのファイルにＣＧＭのデータをダウンロードし、それをネットワークの記憶装置にアップロードすることによって達成される。ある商業上利用できるＣＧＭの業者は、センサーからの血糖値のデータが、インターネットハブを介してクラウドネットワークの記憶装置に中継されるシステムを使用している。そのようなシステムのアーキテクチャは、クラウドネットワークの記憶装置に接続するための付加的な装置をＣＧＭセンサーの最終利用者が携帯することをその都度、必要とし、最終利用者は、付加的な不便さのせいでこれらの特徴を利用し難い。しかしながら、本発明の代表的な複数の実施例は、使用者が、ＣＧＭセンサー、または、類似の装置をクラウドネットワークの記憶装置に受信機および表示装置１３０を介して直接接続できる方法で、インターネットゲートウェイチップ１４０を利用し、それにより、如何なる付加的な装置または使用者の操作を必要とすることなく、ＣＧＭセンサーのデータを伝達し格納する。
【００２９】
図２は、スマートフォンが、本発明の他の実施例に従い、ＣＧＭの無線受信機及び表示装置である場合、スマートフォンまたは類似の装置のような移動体通信端末装置内にインターネットゲートウェイチップを組み込むためのシステムのブロック図である。図２の実施例において、スマートフォンが本発明の実施例に従うＣＧＭの受信機及び表示装置２３０である場合、インターネットゲートウェイチップ２４０は、スマートフォン、または、類似の装置に組み込まれる。本発明の代表的な実施例において、移動体通信端末装置は、携帯電話、スマートフォン、プログラム可能な携帯電話、ポータブルコンピュータ、スマートフォンまたは再送信装置に連結される受信機、または、個人用携帯情報機器（ＰＤＡ）のうちのいずれかを含み得る。有線または無線のハンドヘルドの通信要素、受信機及び表示装置２３０における他の一例は、限定されないが、アイフォン（ｉＰｈｏｎｅ）TM、アンドロイドTM、アイパッドTM、ブラックベリーTMなどを含み得る。図２における本発明の代表的な実施例は、スマートフォンのような受信機および表示装置２３０に組み込まれたインターネットゲートウェイチップをもたらし、最終利用者が彼らのスマートフォンを介してクラウドネットワークの記憶装置に、ＣＧＭセンサーの出力を直接接続できる。代表的な実施例において、スマートフォンも、ＣＧＭシステムのセンサーおよび受信機から受信されたＣＧＭセンサーの出力のための表示装置、入力、制御として使える。
【００３０】
図２における実施例において、ＣＧＭシステムは、センサー２１０と、送信機２２０と、受信機及び表示装置２３０とを含む。センサー２１０および送信機２２０は、上述のセンサー１１０および送信機１２０と実質的に同一である。受信機および表示装置２３０は、様々な利用者用制御部と、センサー２１０の装着中、利用者の血糖値、または、他の変化する測定値を表示するための表示装置と、を含む。
【００３１】
インターネットゲートウェイチップ２４０または類似の装置は、ＣＧＭの構成部品とクラウドネットワークの記憶装置２５０との間の通信をもたらすこととなる構成内に設けられる。クラウドネットワークの記憶装置２５０は、上述のクラウドネットワークの記憶装置１５０と実質的に同一である。その受信機および表示装置２３０は、スマートフォンもＣＧＭにおける無線式の表示装置である場合、スマートフォン、または類似の装置からなる。インターネットゲートウェイチップ２４０は、最終利用者が、ＣＧＭセンサーの出力をそのスマートフォンを介してクラウドネットワークの記憶装置２５０に直接接続できるように、スマートフォンのような装置２３０に組み込まれる。
【００３２】
図２における実施例において、センサー２１０は、血糖値、または他の変化する測定値を部位で連続的に測定する。センサー２１０の測定値は、送信のために処理され、送信機２２０によってスマートフォンのような受信機及び表示装置２３０に送信される。
送信機２２０と、スマートフォンのような受信機および表示装置２３０との間の双方向通信は、ＵＳＢ、および、ファイヤーワイヤー（Ｆｉｒｅｗｉｒｅ）接続のような幾つものの有線通信手段、RF、ブルートゥース、および、赤外線通信、限定されないが、８０２．１１（無線ＬＡＮ、ＷＬＡＮ）、８０２．１５（ＷＰＡＮ、ブルートゥース、ジグビー（ＺｉｇＢｅｅ））および８０２．１６（ＷＭＡＮ）として規格化されたものを含むアイトリプルイー（ＩＥＥＥ）８０２ワイヤレス標準規格のようなワイヤレス通信手段を介して設けられ得る。スマートフォンのような受信機および表示装置２３０は、一時的にセンサーのデータを保留、格納、および／または、所望するあらゆる方法でセンサーのデータを表示することができる。
【００３３】
スマートフォンのような受信機及び表示装置２３０は、インターネットゲートウェイチップ２４０、および／または、ウェブサービスアプリケーションプログラミングインタフェース（ＡＰＩ）、クラウドストレージゲートウェイ、または、ウェブベースのユーザインタフェースを含む。そうすることで、インターネットゲートウェイチップ２４０により、最終利用者がスマートフォンを介してＣＧＭセンサーの出力をクラウドネットワークの記憶装置２５０に直接接続できる。インターネットゲートウェイチップ２４０により、さらに、最終利用者が、スマートフォンを介してクラウドネットワークの記憶装置２５０のデータにアクセスできる。センサー２１０からの血糖値のデータは、インターネットハブまたは付加的な利用者の操作を必要とすることなく、クラウドネットワークの記憶装置２５０に中継され得る。従って、本発明の代表的な実施例により、利用者がＣＧＭセンサーまたは類似の装置をクラウドネットワークの記憶装置に直接接続でき、それにより、如何なる付加的な装置、または、利用者の操作を必要とすることなく、ＣＧＭセンサーのデータを伝達し、格納する。
【００３４】
図３は、本発明の他の実施例に従い、ＣＧＭにおける既存の無線式受信機及び表示装置のような、ＣＧＭの受信機にインターネットゲートウェイチップを組み込むためのシステムのブロック図である。図３における実施例において、インターネットゲートウェイチップ３４０は、好ましくは、本発明の実施例に従うＣＧＭにおける既存の受信機、および、表示装置である受信機及び表示装置に、組み込まれる。本発明における代表的な実施例は、ＣＧＭセンサーシステムの受信機および表示装置に組み込まれるインターネットゲートウェイチップをもたらす。述べたように、ＣＧＭセンサーシステムは、リアルタイム方式でそのセンサーからの出力を表示する表示装置３３０、および、受信機としての小型のハンディータイプの装置を利用できる。ゲートウェイチップ３４０をＣＧＭセンサーシステムにおける受信機及び表示装置３３０に、直接埋め込むことにより、最終利用者が、ＣＧＭセンサーシステムを使用しながら、いかなる追加の装置も携帯する必要なく、センサーのデータをクラウドネットワークの記憶装置に直接移動できる。
【００３５】
図３における実施例において、ＣＧＭシステムは、センサー３１０と、送信機３２０と、受信機及び表示装置３３０とを含む。センサー３１０および送信機３２０は、上述のセンサー１１０および送信機１２０と実質的に同一である。その受信機および表示装置３３０は、様々な利用者用制御部と、センサー３１０の装着中、利用者の血糖値、または、他の変化する測定値を表示するための表示装置と、を含む。インターネットゲートウェイチップ３４０または類似の装置は、ＣＧＭの構成部品とクラウドネットワークの記憶装置２５０との間の通信をもたらすこととなる構成内に設けられる。クラウドネットワークの記憶装置３５０は、上述のクラウドネットワークの記憶装置１５０と実質的に同一である。インターネットゲートウェイチップ３４０は、受信機及び表示装置３３０に組み込まれ、最終利用者がその受信機及び表示装置を介してＣＧＭセンサーの出力をクラウドネットワークの記憶装置３５０に直接接続できる。さらに、インターネットゲートウェイチップ３４０により、最終利用者が、その受信機及び表示装置を介してクラウドネットワークの記憶装置３５０のデータにアクセスできる。
【００３６】
図３における実施例において、センサー３１０は、血糖値、または他の変化する測定値を部位で連続的に測定する。センサー３１０の測定値は、送信のために処理され、送信機３２０によって受信機及び表示装置３３０に送信される。
【００３７】
送信機３２０と、受信機および表示装置３３０との間の通信は、ＵＳＢ、および、ファイヤーワイヤー（Ｆｉｒｅｗｉｒｅ）接続のような幾つものの有線通信手段や、RF、ブルートゥース、および、赤外線通信、限定されないが、８０２．１１（無線ＬＡＮ、ＷＬＡＮ）、８０２．１５（ＷＰＡＮ、ブルートゥース、ジグビー（ＺｉｇＢｅｅ））および８０２．１６（ＷＭＡＮ）として規格化されたものを含むアイトリプルイー（ＩＥＥＥ）８０２ワイヤレス標準規格のようなワイヤレス通信手段を介して設けられ得る。受信機３３０は、一時的にセンサーのデータを保留、格納、および／または、所望するあらゆる方法でセンサーのデータを表示することができる。
【００３８】
受信機および表示装置３３０は、インターネットゲートウェイチップ３４０、および／または、ウェブサービスアプリケーションプログラミングインタフェース（ＡＰＩ）と、クラウドストレージゲートウェイ、または、ウェブベースのユーザインタフェースとを含む。そうすることで、インターネットゲートウェイチップ３４０により、最終利用者が受信機を介してＣＧＭセンサーの出力をクラウドネットワークの記憶装置３５０に直接接続できる。センサー３１０からの血糖値のデータは、インターネットハブを必要とすることなく、クラウドネットワークの記憶装置３５０に中継され得る。従って、本発明の代表的な実施例により、利用者がＣＧＭセンサーまたは類似の装置をクラウドネットワークの記憶装置に直接接続でき、それにより、如何なる付加的な装置、または、利用者の操作を必要とすることなく、ＣＧＭセンサーのデータを伝達し、格納する。
【００３９】
図４における実施例において、インターネットゲートウェイチップ４４０は、好ましくは、本発明の実施例に従い、既存のセンサー、および／または、ＣＧＭにおける送信機であるセンサー内に組み込まれる。本発明の代表的な実施例は、ＣＧＭセンサー自体に組み込まれるインターネットゲートウェイチップをもたらす。このシステムのアーキテクチャにおいて、センサーの出力は、センサーおよび送信機からクラウドネットワークの記憶装置に直接送信可能とされ、今日の市場で市販されるＣＧＭシステムと一緒に通常使用されるデータの表示装置は、必要とされない場合がある。とりわけ、ＣＧＭセンサーのデータが、クラウドネットワークの記憶装置に移動されたならば、最終利用者は、クラウドネットワークの記憶装置においてデータにアクセスすることにより、最も都合の良い時間、および、センサーデータを表示するモードを選択できる。
【００４０】
図４は、本発明の他の実施例に従い、インターネットゲートウェイチップを、センサー、即ち、ＣＧＭにおける既存のセンサー、および／または、送信機に組み込むためのシステムのブロック図である。図４における実施例において、システムは、センサー４１０および送信機４２０を含む。センサー４１０および送信機４２０は、上述のセンサー１１０および送信機１２０と実質的に同一であるが、しかし、インターネットゲートウェイチップを組み込み、受信機及び表示装置の必要性を除外する。しかしながら、必要ならば、受信機及び表示装置は、図４における実施例と一緒に、コマンド、表示、または、他の操作のために設けられ得る。インターネットゲートウェイチップ４４０、または、類似の装置は、ＣＧＭの構成要素とクラウドネットワークの記憶装置４５０との間の通信をもたらす構成内に設けられる。クラウドネットワークの記憶装置４５０は、上述のクラウドネットワークの記憶装置１５０と実質的に同一である。インターネットゲートウェイチップ４４０は、センサー４１０、および／または、送信機４２０に組み込まれ、最終利用者が、
センサー４１０、および／または、送信機４２０を介してＣＧＭセンサーの出力をクラウドネットワークの記憶装置４５０に直接接続できる。
【００４１】
図４における実施例において、センサー４１０は、血糖値、または他の変化する測定値を部位で連続的に測定する。センサー４１０の測定値は、送信のために処理され、送信機４２０によって送信される。センサー４１０、および／または、送信機４２０は、インターネットゲートウェイチップ４４０、および／または、ウェブサービスアプリケーションプログラミングインタフェース（ＡＰＩ）と、クラウドストレージゲートウェイ、または、ウェブベースのユーザインタフェースとを含む。そうすることで、インターネットゲートウェイチップ４４０により、最終利用者がセンサー、および／または、送信機を介してＣＧＭセンサーの出力をクラウドネットワークの記憶装置４５０に直接接続できる。センサー４１０からの血糖値のデータは、インターネットハブおよび利用者の操作を必要とすることなく、クラウドネットワークの記憶装置４５０に中継され得る。センサー４１０の測定値は、送信のために処理され、クラウドネットワークの記憶装置４５０への送信に加えて、受信機および表示装置があるならば、送信機４２０によって、受信機および表示装置に送信される。従って、本発明の代表的な実施例により、利用者がＣＧＭセンサーまたは類似の装置をクラウドネットワークの記憶装置に直接接続でき、それにより、如何なる付加的な装置、または、利用者の操作を必要とすることなく、ＣＧＭセンサーのデータを伝達し、格納する。
【００４２】
図５は、本発明の実施例に従い、クラウドネットワークの記憶装置との直接のデータ通信を容易にするように、ＣＧＭシステムにおける１つ以上の構成部品と一緒に、インターネットゲートウェイチップのような通信素子を使用するための方法の流れ図である。
【００４３】
方法５００は、センサー１１０、２１０、３１０、および、４１０により、実行されるような血糖値、または、他の変化する測定値を部位で連続的、周期的に、または、一時的に測定することについての第１のステップＳ５１０を含む。それから、センサーの測定値は、送信機１２０、２２０、３２０および４２０によって実行されるような、送信のために処理される。もし、ステップＳ５２０で、センサー４１０のようなセンサー、および／または、送信機４２０が、例えば、インターネットゲートウェイチップ４４０のようなインターネットゲートウェイチップ、および／または、ウェブサービスアプリケーションプログラミングインタフェース（ＡＰＩ）、クラウドストレージゲートウェイ、または、ウェブベースのユーザインタフェースとを含むことがわかったならば、ステップＳ５３０で、データが、センサー、および／または、送信機からクラウドネットワークの記憶装置に直接中継され得る。
【００４４】
もし、ステップＳ５２０で、センサー１１０、２１０および３１０のようなセンサー、および／または、送信機１２０、２２０、および、３２０がインターネットゲートウェイチップを含まないことがわかったならば、ステップＳ５４０で、データが、送信機により受信機、または、装置１３０、２３０、および、３３０などのスマートフォンのような装置に送信される。もし、その送信機、または、スマートフォンのような装置が、インターネットゲートウェイチップ１４０，２４０、および、３４０のようなインターネットゲートウェイチップ、および／または、ウェブサービスアプリケーションプログラミングインタフェース（ＡＰＩ）、クラウドストレージゲートウェイ、または、ウェブベースのユーザインタフェースを含むことがわかったならば、ステップＳ５５０で、そのデータは、送信機、または、スマートフォンのような装置からクラウドネットワークの記憶装置に直接中継され得る。
【００４５】
インターネットゲートウェイチップシステム、または、インターネットゲートウェイチップ１４０、２４０、３４０、４４０は、それぞれ、さらに、別個のクラウドネットワークの記憶装置と通信するための専用のチップを含み得る。さらに、クラウドネットワークの記憶装置との直接のデータ通信の機能、または、クラウドネットワークの記憶装置の伝達されるデータへのアクセスが、制限可能とされ、ユーザ登録、パスワードの入力、および／または、料金の支払いを必要とすることができる。
【００４６】
従って、本発明の代表的な実施例は、ＣＧＭセンサーまたは類似の装置をクラウドネットワークの記憶装置に直接接続するためのシステムおよび方法をもたらし、それにより、ＣＧＭデータが如何なる付加的な装置または利用者の操作を必要とすることなく、人によりアクセス可能とされる方法で、ＣＧＭセンサーのデータを伝え、格納する。そのようなシステムにより、ＣＧＭセンサーの最終利用者が、ＣＧＭセンサーのデータを伝達し、格納するためのインターネットハブを携帯する負担もなく、また、付加的な利用者の操作を要することなく、ＣＧＭセンサーをクラウドネットワークの記憶装置に接続できる。その
システムおよび方法は、クラウドネットワークの記憶装置への直接のデータ通信を容易にするように、通信素子をＣＧＭシステムに組み込む。インターネットゲートウェイチップは、クラウドネットワークの記憶装置への直接のデータ通信を容易するように、ＣＧＭシステムの構成部品内に含まれる。例えば、そのようなインターネットゲートウェイチップは、ＣＧＭにおける既存の無線受信機のような受信機、および、表示装置に含まれ、スマートフォンもＣＧＭにおける無線受信機および表示装置の場合、スマートフォンまたは類似の装置内に含まれ、また、ＣＧＭにおける既存のセンサーのようなセンサー、および／または、送信機内に含まれ得る。本発明の代表的な実施例は、クラウドに直接接続できる埋め込まれたゲートウェイチップを有するＣＧＭの受信機、ＣＧＭのデータ表示機能を有するＣＧＭの受信機、クラウドに直接接続できる埋め込まれたゲートウェイチップを有する携帯電話またはスマートフォンのような装置に置き換えられるＣＧＭの受信機、クラウドに直接接続できる埋め込まれたゲートウェイチップを有するＣＧＭのオンボディセンサー（ＯＢＳ）を含む数多くの装置および構成要素に適用され得る。
【００４７】
上述の代表的な実施例は、ＣＧＭセンサーでデータ収集、センサーから埋め込まれたゲートウェイチップを有する受信機、および／または、携帯電話、その後、直接に、クラウドネットワークの記憶装置までのデータ通信におけるシステムおよび方法をもたらし、あるいは、センサーが埋め込まれたゲートウェイチップを有する場合、直接に、クラウドネットワークの記憶装置に、それにより、ＣＧＭセンサーのデータを格納する。
【００４８】
ＣＧＭデータは、収集され、好ましくは、如何なる手動操作することなく、送信される。代表的な実施例において、データは、手動操作をすることなく、好ましくは、再度、記憶、処理および検索のためのクラウドネットワークの記憶装置に送信される。そうすることで、センサーが埋め込まれたゲートウェイチップを有する場合、ＣＧＭの受信機にデータを送信する必要がなく、受信機／携帯電話が埋め込まれたゲートウェイチップを有する場合、インターネットハブを介してデータ通信をする必要がない。さらに、利用者が、
手動操作を使いデータ通信を直接命令する必要がなく、例えば、受信機からコンピュータまでデータをダウンロードし、または、コンピュータからクラウドの記憶装置までデータをアップロードするような、仲介する方法でデータを伝達する必要もない。
【００４９】
本発明における数個の代表的な実施例が、上述に詳細に説明されたが、当業者は、多くの変更が、本発明における新規な示唆および利点から逸脱することなく、代表的な実施例において可能であることを容易に理解するであろう。従って、すべてのそのような変更が、以下の請求の範囲において画定される本発明の範囲内、および、均等物の範囲内に含まれることを意図されている。
【図１】
0006533210.tif 000002
【図２】
0006533210.tif 000003
【図３】
0006533210.tif 000004
【図４】
0006533210.tif 000005
【図５】
0006533210.tif 000006